(57)【特許請求の範囲】
【請求項１】
コンピュータが、
蓄電素子に関する電圧値を含む測定データを定期的に取得し逐次記憶する記憶装置から取得される測定データに基づき、前記蓄電素子の異常又は異常の予兆の原因を、複数の原因候補から１又は複数に絞り込み、
前記複数の原因候補夫々に対応付けて記憶してある修理フローから、絞り込まれた原因に対応する修理フローを選択し、
選択した修理フローに基づいて実行すべき修理手順を出力する
保守支援方法。
【請求項２】
前記コンピュータは、
前記修理手順に基づく作業の結果を受け付け、
受け付けた結果に応じて原因を更に絞り込み、
前記原因に基づく次に実行すべき修理手順の出力と、作業の結果の受け付けを修理が完了するまで繰り返し実行する
請求項１に記載の保守支援方法。
【請求項３】
前記コンピュータは、前記絞り込まれた原因に応じて、修理作業に必要な交換用部材、測定器又は工具の識別データを含む修理手配データを前記修理作業の作業者宛てに送信する
請求項１又は２に記載の保守支援方法。
【請求項４】
前記コンピュータは、前記絞り込まれた原因、又は作業の結果に応じて、修理作業に必要な熟練者のスケジュールを手配し、
前記修理手順は、他のコンピュータにて前記熟練者から受け付ける指示に基づき出力される
請求項１から請求項３のいずれか１項に記載の保守支援方法。
【請求項５】
前記異常又は予兆の原因は、前記測定データが入力された場合に、原因及び確度を出力するように学習された学習モデルを用いて絞り込まれる
請求項１から請求項４のいずれか１項に記載の保守支援方法。
【請求項６】
前記測定データは、蓄電素子に関する内部抵抗値を含む
請求項１から請求項５のいずれか１項に記載の保守支援方法。
【請求項７】
蓄電素子に関する電圧値を含む測定データを定期的に取得し逐次記憶する記憶装置と、前記記憶装置と通信接続が可能な保守端末装置と、前記保守端末装置から通信接続が可能な保守支援装置とを含み、
前記保守支援装置は、
前記記憶装置から取得される測定データに基づき、前記蓄電素子の異常又は異常の予兆の原因を、複数の原因候補から１又は複数に絞り込み、
前記複数の原因候補夫々に対応付けて記憶してある修理フローから、絞り込まれた原因に対応する修理フローを選択し、
選択した修理フローに基づいて実行すべき修理手順を前記保守端末装置へ送信する
保守支援システム。
【請求項８】
前記保守支援装置は、
前記修理手順に基づく作業の結果を前記保守端末装置から受信し、
受信した結果に応じて原因を更に絞り込み、
前記原因に基づく次に実行すべき修理手順の送信と、作業の結果の受信を修理が完了するまで繰り返し実行する
請求項７に記載の保守支援システム。
【請求項９】
蓄電素子に関する電圧値を含む測定データを定期的に取得し逐次記憶する記憶装置から取得される測定データに基づき、前記蓄電素子の異常又は異常の予兆の原因を、複数の原因候補から１又は複数に絞り込む原因推定部、
前記複数の原因候補夫々に対応付けて記憶してある修理フローから、絞り込まれた原因に対応する修理フローを選択するフロー選択部、及び
選択した修理フローに基づいて実行すべき修理手順を出力する手順出力部
を備える保守支援装置。
【請求項１０】
コンピュータに、
蓄電素子に関する電圧値を含む測定データを定期的に取得し逐次記憶する記憶装置から取得される測定データに基づき、前記蓄電素子の異常又は異常の予兆の原因を、複数の原因候補から１又は複数に絞り込み、
前記複数の原因候補夫々に対応付けて記憶してある修理フローから、絞り込まれた原因に対応する修理フローを選択し、
選択した修理フローに基づいて実行すべき修理手順を出力する
処理を実行させるコンピュータプログラム。
【発明の詳細な説明】
【技術分野】
【０００１】
本発明は、蓄電素子の保守管理作業を支援する保守支援方法、保守支援システム、保守支援装置、及びコンピュータプログラムに関する。
【背景技術】
【０００２】
蓄電素子は、無停電電源装置、安定化電源に含まれる直流又は交流電源装置等に広く使用されている。再生可能エネルギー又は既存の発電システムにて発電された電力を蓄電しておく大規模なシステムでの蓄電素子の利用も拡大している。
【０００３】
蓄電素子の運用には、劣化診断等の定期的な点検を含む予防保全の取り組みが必須である。保守作業者の負担を軽減しつつ、正確な情報に基づく蓄電素子の劣化診断を可能とするために、ネットワークを経由して蓄電素子のユーザ又は保守作業者が蓄電素子の状態を確認可能とする技術が提案されている。
【０００４】
特許文献１には、保守作業者が蓄電素子の定期点検時に、蓄電素子のユーザが管理するネットワークを介さずに、蓄電素子の状態データを取得できる機器が開示されている。特許文献１に開示されている方法によって、保守作業者は蓄電素子の設置場所に赴き、所持する端末装置を用いて蓄電素子の状態データを容易に取得することができる。
【先行技術文献】
【特許文献】
【０００５】
【特許文献１】特許第６４０２９２５号
【発明の概要】
【発明が解決しようとする課題】
【０００６】
蓄電素子の状態データを遠隔から確認できることによって、異常が発生していることを保守作業者が検知できる。発生した異常に対し、保守作業者が蓄電素子の設置場所へ赴き、異常の原因を究明し異常の発生した蓄電素子を交換する等の対処を施す。保守作業者の熟練度によっては、作業に要する時間に大きな差異が生じる。蓄電素子を含むシステムを、継続して運用できるような保守管理が望まれる。
【０００７】
本発明は、保守支援方法、保守支援システム、保守支援装置、及びコンピュータプログラムを提供することを目的とする。
【課題を解決するための手段】
【０００８】
保守支援方法は、蓄電素子の異常又は異常の予兆の原因を、複数の原因候補から前記蓄電素子に関する測定データに基づいて１又は複数に絞り込み、前記複数の原因候補夫々に対応付けて記憶してある修理フローから、絞り込まれた原因に対応する修理フローを選択し、選択した修理フローに基づいて実行すべき修理手順を出力する。
【図面の簡単な説明】
【０００９】
【図１】保守支援システムの概要を示す。
【図２】保守支援システムが含む装置の内部構成を示すブロック図である。
【図３】保守用機器の内部構成を示すブロック図である。
【図４】保守支援システムにおける修理シーケンスを示す。
【図５】保守支援システムにおける修理シーケンスを示す。
【図６】保守端末装置にて表示される修理支援画面の内容例を示す。
【図７】保守端末装置にて表示される修理支援画面の内容例を示す。
【図８】修理フローの内容例を示す図である。
【図９】修理支援画面の他の内容例を示す。
【図１０】修理支援画面の他の内容例を示す。
【図１１】変形例１における保守支援システムによる修理シーケンスを示す。
【図１２】変形例２における保守支援装置の構成を示すブロック図である。
【発明を実施するための形態】
【００１０】
保守支援方法は、蓄電素子の異常又は異常の予兆の原因を、複数の原因候補から前記蓄電素子に関する測定データに基づいて１又は複数に絞り込み、前記複数の原因候補夫々に対応付けて記憶してある修理フローから、絞り込まれた原因に対応する修理フローを選択し、選択した修理フローに基づいて実行すべき修理手順を出力する。
【００１１】
蓄電素子の異常又は異常の予兆などは外観からは判断できない場合もあるが、蓄電素子の測定データを取り込むことで異常又は異常の予兆の検知が可能になる。従来は、保守作業者がどの測定データから、どのような異常が発生したのかを判断し、どのように修理するかが均質でなかった。上記構成により、保守作業者が誰であっても、絞り込まれた原因に応じて予め最善として記憶されている修理フローに基づく修理手順が、保守作業者が用いる装置に出力される。熟練者であるか否かによらない均質な修理作業が実施される。
【００１２】
前記修理手順に基づく作業の結果を受け付け、受け付けた結果に応じて原因を更に絞り込み、前記原因に基づく次に実行すべき修理手順の出力と、作業の結果の受け付けとが、修理が完了するまで繰り返し実行されてもよい。
【００１３】
異常又は異常の予兆の原因が、事前に取得される測定データのみでは特定できない場合であっても、保守支援方法は、保守作業者に対し、修理フローを実行した場合の作業の結果に応じて修理現場で原因を特定するための手順を提示する。これによって熟練者でない作業者でも、熟練者と同様の修理作業が可能になる。
【００１４】
前記絞り込まれた原因に応じて、修理作業に必要な交換用部材、測定器又は工具の識別データを含む修理手配データを前記修理作業の作業者宛てに送信してもよい。
【００１５】
例えば、蓄電素子の測定データから、蓄電素子の劣化が異常の原因と推定される場合は、保守作業者は交換用の蓄電素子を持参する。測定データから、蓄電素子以外の構造的な、又は電気回路的な要因で異常又は異常が検知されたと推定される場合には、それらに応じた様々な工具が状況に合わせて必要になる。上記構成により、修理作業に必要な交換用部材、測定器、工具等が手配される。必要な物品が自動的に手配されるので、現場へ赴く保守作業者が所持し忘れて再度訪問するといった事態を回避することができ、保守作業者の熟練度によらず、保守活動の効率化が期待できる。交換用部材については自動的に手配されることで、顧客への納品の管理システムと連携させることも可能になり、どのような部品をいつ交換したかという履歴が確認可能になる。
【００１６】
前記絞り込まれた原因、又は作業の結果に応じて、修理作業に必要な熟練者のスケジュールを手配し、前記修理手順は、前記熟練者からの指示に基づき出力されてもよい。
【００１７】
上記構成により、修理フローでカバーできていない事象の場合でも、熟練者の遠隔からのサポート等が円滑に行なわれる。これにより、実際に修理作業を行なう保守作業者が熟練者であるか否かによらない均質な修理作業が実施される。
【００１８】
前記異常又は予兆の原因は、前記測定データが入力された場合に、原因及び確度を出力するように学習された学習モデルを用いて絞り込まれてもよい。
【００１９】
学習モデルを用いることにより、外観、又は測定データから人間が判別することが困難な異常又は異常の予兆を検知できる可能性がある。蓄電素子の状態は、直接測定することができないが、測定データから学習モデルによって精度よく推定できる可能性がある。複数の測定データに現れている原因の推定に過去の修理の実績を活かし、推定の精度を高めることができる。
【００２０】
保守支援システムは、蓄電素子に関する測定データを定期的に取得し逐次記憶する記憶装置と、前記記憶装置と通信接続が可能な保守端末装置と、前記保守端末装置から通信接続が可能な保守支援装置とを含む。前記保守支援装置は、前記記憶装置から取得される測定データに基づき、前記蓄電素子の異常又は異常の予兆の原因を、複数の原因候補から１又は複数に絞り込む。前記保守支援装置は、前記複数の原因候補夫々に対応付けて記憶してある修理フローから、絞り込まれた原因に対応する修理フローを選択し、選択した修理フローに基づいて実行すべき修理手順を前記保守端末装置へ送信する。
【００２１】
前記保守支援装置は、前記修理手順に基づく作業の結果を前記保守端末装置から受信し、受信した結果に応じて原因を更に絞り込み、前記原因に基づく次に実行すべき修理手順の送信と、作業の結果の受信を修理が完了するまで繰り返し実行してもよい。
【００２２】
保守支援装置は、蓄電素子の異常又は異常の予兆の原因を、複数の原因候補から前記蓄電素子に関する測定データに基づいて１又は複数に絞り込む原因推定部、前記複数の原因候補夫々に対応付けて記憶してある修理フローから、絞り込まれた原因に対応する修理フローを選択するフロー選択部、及び選択した修理フローに基づいて実行すべき修理手順を出力する手順出力部を備える。
【００２３】
コンピュータプログラムは、コンピュータに、蓄電素子の異常又は異常の予兆の原因を、複数の原因候補から前記蓄電素子に関する測定データに基づいて１又は複数に絞り込み、前記複数の原因候補夫々に対応付けて記憶してある修理フローから、絞り込まれた原因に対応する修理フローを選択し、選択した修理フローに基づいて実行すべき修理手順を出力する処理を実行させる。
【００２４】
本発明をその実施の形態を示す図面を参照して具体的に説明する。
【００２５】
図１は、保守支援システム１００の概要を示す。保守支援システム１００は、保守支援装置１及び保守作業者が用いる保守端末装置２を含む。保守支援システム１００は、遠隔監視システム３００と通信接続可能である。遠隔監視システム３００は、保守対象の蓄電素子５０の状態を示すデータを収集し、ネットワークを介して収集されたデータに基づく遠隔からの状態閲覧を実現する。保守支援システム１００は、保守対象の蓄電素子を購入、又はレンタルしている顧客のデータを記憶する顧客データ管理システム４００と通信接続可能である。本実施の形態においては、保守支援システム１００、遠隔監視システム３００及び顧客データ管理システム４００は、保守対象の蓄電素子５０の製造業者により管理され、製造業者用のネットワークＭＮ又は専用線を介して相互に通信接続可能である。保守支援システム１００は、蓄電素子５０の製造管理システム（図示せず）と通信接続可能であってもよい。
【００２６】
ネットワークＭＮは、製造業者用のローカルネットワークである。ネットワークＭＮは例えば、Ethernet（登録商標）であり、光回線であってもよい。ネットワークＭＮは、ＶＰＮ（Virtual Private Network）を含んで、ロケーションの異なるシステム１００，３００，４００間をローカルネットワークとして接続してもよい。保守支援システム１００と遠隔監視システム３００との間、保守支援システム１００と顧客データ管理システム４００との間は、ネットワークＭＮの一部でもよいし、専用線、又はＶＰＮであってもよい。
【００２７】
保守端末装置２及び保守支援装置１は、通信網Ｎ又はネットワークＭＮを介して通信接続可能である。通信網Ｎは、所謂インターネットである。通信網Ｎは、所定の移動通信規格による無線通信を実現するキャリアネットワークを含んでもよい。通信網Ｎは、一般光回線を含んでもよい。
【００２８】
保守支援システム１００による保守対象の蓄電素子５０は、鉛蓄電池及びリチウムイオン電池を含む二次電池や、キャパシタのような、充電可能なものであることが好ましい。蓄電素子５０の一部は、充電不可能な一次電池であってもよい。本実施の形態における蓄電素子５０は夫々、鉛蓄電池である。蓄電素子５０は、蓄電セルを複数接続した蓄電モジュールであってもよい。蓄電素子５０は、蓄電セルそのもの又は蓄電モジュールを複数接続した蓄電モジュール群であってもよい。
【００２９】
蓄電装置５は、１又は複数の蓄電素子５０を含む。蓄電装置５は、単体で利用されてもよい。蓄電装置５は、蓄電素子５０の顧客（ユーザ）によって管理される顧客のネットワークＣＮに通信接続する蓄電装置５群として利用される。同一の顧客によって管理される蓄電装置５群は、顧客のネットワークＣＮを介して、顧客が管理する管理装置５１へ蓄電素子５０の状態データを送信する。状態データは少なくとも電圧値を含む。状態データは、内部抵抗値、電流値、温度を含んでもよい。状態データは、鉛蓄電池である蓄電素子５０の端子に接続されたユニットから、保守用通信機器６を介して送信される。状態データは、リチウムイオン電池である蓄電モジュールに備えられる電池管理装置（ＢＭＵ）に接続される保守用通信機器６によって送信されてもよい。状態データは、保守用通信機器６から保守端末装置２へ送信されてもよい。複数の蓄電装置５から送信される状態データは、専用線Ｎ２又は通信網Ｎを介して遠隔監視システム３００で受信される。状態データは、蓄電素子５０を夫々識別する製造番号等の識別データと対応付けて状態履歴として記憶される。
【００３０】
保守用通信機器６が、蓄電装置５に設けられている。保守用通信機器６は、ネットワークＣＮを介さずに、保守作業者が用いる保守端末装置２とデータをやり取りできる。保守用通信機器６は、蓄電装置５の蓄電素子５０夫々について状態データを取得するユニットと通信接続可能である。保守用通信機器６は、鉛蓄電池の端子に接続されたユニットと、無線通信によって通信接続可能である。保守用通信機器６は、リチウムイオン電池の蓄電モジュールに備えられる電池管理装置（ＢＭＵ）と通信接続可能である。保守用通信機器６は、蓄電装置５から管理装置５１向けに送信される状態データと同一の状態データを内蔵するメモリに記憶する。
【００３１】
ネットワークＣＮは、複数の蓄電装置５を運用する顧客のローカルネットワークである。ネットワークＣＮは、例えばEthernet（登録商標）であり、光回線であってもよい。ネットワークＣＮは、ＶＰＮを含んでもよい。ネットワークＣＮは、ECHONET（登録商標） ／ECHONETLite （登録商標）対応のネットワークであってもよい。専用線Ｎ２は、蓄電装置５の顧客のネットワークＣＮと遠隔監視システム３００との間を接続するプライベートネットワークである。専用線Ｎ２は、通信網Ｎであってもよい。専用線Ｎ２は、ECHONET ／ECHONETLite 対応の専用ネットワークであってもよい。
【００３２】
本実施の形態の保守支援システム１００は、蓄電素子５０又は蓄電装置５の保守管理を、保守端末装置２にて取得した状態データ、顧客データ管理システム４００から得られる顧客データ、遠隔監視システム３００から得られる診断データを用いて支援する。保守支援システム１００は、保守端末装置２にて取得した状態データ、遠隔監視システム３００から得られる診断データに基づいて異常を検知又は異常の予兆を検知する。保守支援システム１００は、検知した異常又は異常の予兆に基づいて保守作業者の修理作業を支援する。遠隔監視システム３００にて収集される状態データに基づく診断により、保守支援装置１は、修理作業の手順を保守作業者へ保守端末装置２を通じて対話形式で提示する。これにより、修理作業は熟練度によらずに多様な保守作業者によって均質に実施可能になる。
【００３３】
このような蓄電素子５０の保守支援システム１００を実現するための詳細な構成について説明する。
【００３４】
図２は、保守支援システム１００が含む装置の内部構成を示すブロック図である。保守支援装置１は、サーバコンピュータを用い、制御部１０、記憶部１１、及び通信部１２を備える。本実施の形態において保守支援装置１は、１台のサーバコンピュータとして説明するが、複数のサーバコンピュータで処理を分散させてもよい。
【００３５】
制御部１０は、ＣＰＵ（Central Processing Unit ）又はＧＰＵ（Graphics Processing Unit）を用いたプロセッサである。制御部１０は、内蔵するＲＯＭ及びＲＡＭ等のメモリを用い、各構成部を制御して処理を実行する。制御部１０は、記憶部２１に記憶されている保守支援プログラム１Ｐに基づく処理を実行する。保守支援プログラム１ＰはＷｅｂサーバプログラムを含む。制御部１０は、保守端末装置２へのＷｅｂページの提供を実行するＷｅｂサーバとして機能する。
【００３６】
記憶部１１は、例えばハードディスク又はＳＳＤ（Solid State Drive ）等の不揮発性メモリを用いる。記憶部１１は、上述した保守支援プログラム１Ｐを記憶する。この保守支援プログラム１Ｐは、記録媒体７に記憶してある保守支援プログラム７Ｐを制御部１０が読み出して記憶部１１に複製したものであってもよい。記憶部１１は、修理フローを記憶する。記憶部１１は、修理フローを、検知される異常又は異常の予兆の原因別に記憶するとよい。修理フローは、保守端末装置２で表示させる修理支援画面の遷移データを含んでよい。記憶部１１は、保守作業者の作業者ＩＤを含む作業者データを記憶する。作業者データは、作業者ＩＤに対応付けて作業者名、電子メールアドレス等の連絡先情報、承認者となる上長の承認者ＩＤを含む。作業者データには、作業者の熟練度合を示すランクを付与しておく。
【００３７】
通信部１２は、ネットワークＭＮを介した通信接続及びデータの送受信を実現する通信デバイスである。具体的には通信部１２は、ネットワークＭＮに対応したネットワークカードである。通信部１２は、ネットワークＭＮに接続される図示しないルータ機器及び通信網Ｎを介した通信を実現してもよい。制御部１０は、通信部１２によって遠隔監視システム３００及び顧客データ管理システム４００との間でデータを送受信する。
【００３８】
保守端末装置２は、保守作業者が使用するコンピュータである。保守端末装置２は、デスクトップ型若しくはラップトップ型のパーソナルコンピュータであってもよい。保守端末装置２は、所謂スマートフォン又はタブレット型の通信端末であってもよい。保守端末装置２は、視覚的な指示を出力できるヘッドマウントディスプレイ（Head Mounted Display ）、グラス型のウェアラブル端末装置であってもよい。保守端末装置２は、制御部２０、記憶部２１、第１通信部２２、第２通信部２３、表示部２４、及び操作部２５を備える。保守端末装置２は図示するように撮像部２６を備えてもよい。
【００３９】
制御部２０は、ＣＰＵ又はＧＰＵを用いたプロセッサである。制御部２０は、記憶部２１に記憶されている保守端末用プログラム２Ｐに基づき、修理手順を表示部２４に表示させる。制御部２０は、保守用通信機器６から情報データを読み出す処理を実行する。制御部２０は、保守端末用プログラム２Ｐに含まれるＷｅｂブラウザによる保守支援装置１との間での情報処理を実行する。
【００４０】
記憶部２１は、例えばハードディスク又はフラッシュメモリ等の不揮発性メモリである。記憶部２１は、保守端末用プログラム２Ｐを含む各種プログラムを記憶する。記憶部２１は、保守端末用プログラム２Ｐに基づく画面データを記憶する。保守端末用プログラム２Ｐは、記録媒体８に記憶してある保守端末用プログラム８Ｐを制御部２０が読み出して記憶部２１に複製したものであってもよい。
【００４１】
第１通信部２２は、通信網Ｎ又はネットワークＭＮを介したデータ通信を実現するための通信デバイスである。第１通信部２２は、有線通信用のネットワークカード等の通信デバイス、基地局ＢＳ（図１参照）に接続する移動通信用の無線通信デバイス、又はアクセスポイントＡＰへの接続に対応する無線通信デバイスを用いる。
【００４２】
第２通信部２３は、保守用通信機器６と通信接続してデータ通信を実現するための通信デバイスである。第２通信部２３は、Wifi又はBluetooth （登録商標）等の無線通信デバイスであってもよい。第２通信部２３は、ＵＳＢ（Universal Serial Bus ）インタフェースであってもよい。
【００４３】
表示部２４は、液晶ディスプレイ、有機ＥＬ（Electro Luminescence）ディスプレイ等のディスプレイである。表示部２４は、制御部２０の保守端末用プログラム２Ｐに基づく操作画面、及び保守支援装置１で提供されるＷｅｂページのイメージを表示する。表示部２４は、好ましくはタッチパネル内蔵型ディスプレイである。表示部２４は、タッチパネル非内蔵型ディスプレイであってもよい。
【００４４】
操作部２５は、制御部２０との間で入出力が可能なキーボード及びポインティングデバイス、若しくは音声入力部等のユーザインタフェースである。操作部２５は、表示部２４のタッチパネル、又は筐体に設けられた物理ボタンを用いてもよい。操作部２５は、ユーザによる操作情報を制御部２０へ通知する。
【００４５】
撮像部２６は、撮像素子を用いて得られる撮像画像を出力する。制御部２０は、任意のタイミングで撮像部２６の撮像素子にて撮像される画像を取得できる。
【００４６】
顧客データ管理システム４００は、顧客ＩＤに対応付けて、顧客の氏名又は名称、顧客の連絡先、住所等の属性データを記憶する。顧客データ管理システム４００は、顧客が複数の蓄電装置５を異なるロケーションに設置して管理している場合、ロケーションを識別するロケーションＩＤに対応付けて所在地を記憶する。顧客データ管理システム４００は、顧客ＩＤに対応付けて、顧客が購入した蓄電素子５０の製造番号を記憶する。顧客が複数の蓄電装置５を異なるロケーションに設置して管理している場合、顧客データ管理システム４００は、顧客ＩＤ及びロケーションＩＤと対応付けて設置されている蓄電素子５０の製造番号を記憶する。
【００４７】
遠隔監視システム３００は、蓄電素子５０の製造番号に対応付けて蓄電素子５０の状態データを逐次記憶する。遠隔監視システム３００は、蓄電素子５０の状態データが示す値が所定範囲内に含まれるか否かを診断する。遠隔監視システム３００は、状態データに基づいて蓄電素子５０毎のＳＯＣ（State Of Charge）、ＳＯＨ（State Of Health）、及び予測寿命等を含む診断データを、蓄電素子５０毎に導出してもよい。
【００４８】
製造管理システムは、蓄電素子５０の製造番号に対応付けて製造時のロット番号、出荷日時を記憶するとよい。
【００４９】
図３は、保守用通信機器６の内部構成を示すブロック図である。保守用通信機器６は、制御部６０、記憶部６１、第１通信部６２、第２通信部６３、及び第３通信部６４を備える。制御部６０は、ＣＰＵ又はマイクロプロセッサを用いる。記憶部６１は、予め規定されたプログラムを記憶する。
【００５０】
記憶部６１は、フラッシュメモリ等の不揮発性メモリである。記憶部６１は、蓄電素子５０から受信した状態データを記憶する。
【００５１】
第１通信部６２は、蓄電素子５０に接続されたユニットとの通信接続を実現する通信デバイスである。本実施の形態では第１通信部６２はBluetooth（登録商標）等の無線通信によって蓄電素子のユニットと通信接続する。
【００５２】
第２通信部６３は、ネットワークＣＮを介した通信接続を実現する通信デバイスである。保守用通信機器６は、蓄電素子５０から受信した状態データを第２通信部６３によって管理装置５１へ送信できる。蓄電素子５０が通信機能を有する電池管理装置を備えている場合、第２通信部６３は不要である。
【００５３】
第３通信部６４は、保守用通信機器６と保守端末装置２との通信接続を実現する通信デバイスである。本実施の形態において第３通信部６４は、ＵＳＢインタフェースである。第３通信部６４は、第１通信部６２とは異なる無線通信デバイスであってもよい。
【００５４】
保守用通信機器６の制御部６０は、プログラムに基づき、第１通信部６２によって定期的に蓄電素子５０から状態データを取得する。制御部６０は、取得した状態データを逐次、記憶部６１に記憶する。記憶の周期は、蓄電素子５０が鉛電池である場合、例えば１日に１回程度である。制御部６０は、取得した日時を状態データに対応付けて記憶部６１に記憶する。制御部６０は、取得した状態データを第２通信部６３から逐次、管理装置５１へ向けて送信する。制御部６０は、プログラムに基づき、第３通信部６４によって保守端末装置２と通信接続した場合、保守端末装置２からの指示に応じて、記憶部６１から状態データを読み出し、その状態データを第３通信部６４から送信する。
【００５５】
保守作業者が所持する保守端末装置２は、定期的な保守点検の実施時に保守用通信機器６に蓄積される状態データを取得する。保守端末装置２は、ネットワークＭＮ又は通信網Ｎを介して遠隔監視システム３００へ状態データを送信し、遠隔監視システム３００に状態データを集約させる。これにより、顧客のネットワークＣＮを介して遠隔監視システム３００へ送信されない状態データについても、遠隔監視システム３００で集約することができる。
【００５６】
本実施の形態の保守支援システム１００は、以下のようにして蓄電素子５０の保守管理を支援する。図４は、保守支援システム１００における修理シーケンスを示す。図４は、異常を検知してから修理手配までのシーンにおける手順を示している。
【００５７】
遠隔監視システム３００は、運用者の管理装置５１又は保守用通信機器６を介して集約された状態データに基づき、異常を検知する（ステップＳ３０１）。遠隔監視システム３００は、異常が検知された蓄電素子５０を含むシステムの管理者、及び保守作業者へ異常を通知する（ステップＳ３０２）。ステップＳ３０２の通知は具体的には、顧客管理システムで参照されるシステムの管理者、保守作業者の連絡先に対して通知がされる。保守端末装置２へ通知がされてもよい。
【００５８】
遠隔監視システム３００は、検知した異常に係る状態データを異常が検知された蓄電素子５０の識別データと対応付けて保守支援装置１へ送信する（ステップＳ３０３）。
【００５９】
保守支援装置１は、異常が検知された蓄電素子５０の識別データと対応付けて状態データを通信部１２で受信する（ステップＳ１０１）。制御部１０は、蓄電素子５０の識別データに基づいて顧客管理システムから、納入日を含む顧客データを取得する（ステップＳ１０２）。顧客データには、蓄電素子５０の納入先の名称及び住所を含むとよい。
【００６０】
制御部１０は、受信した状態データに基づき、異常又は異常の予兆の原因を絞り込む（ステップＳ１０３）。ステップＳ１０３において制御部１０は例えば、状態データに含まれる電圧値が、正常範囲の上限を突破している場合と、下限を突破している場合とで異なる原因を推定する。正常範囲は、蓄電素子５０の種別、型別又は個々に、設定されている。制御部１０は、内部抵抗値が正常範囲として設定されている範囲の上限を突破している場合と、下限を突破している場合とで異なる原因を推定してもよい。制御部１０は、状態データに含まれる温度が正常範囲として設定されている上限を突破している場合と、下限を突破している場合とで異なる原因を推定してもよい。
【００６１】
制御部１０は、絞り込んだ原因による異常、又は異常の予兆となるような現象の進行を抑止するための修理に必要な物品の識別情報を特定する（ステップＳ１０４）。記憶部１１は、ステップＳ１０３で絞り込まれる原因毎に、必要な物品の識別情報を、予め記憶しておくとよい。物品は例えば、蓄電素子５０の交換部品である。物品は、詳細な原因を特定するための測定器であってもよい。
【００６２】
制御部１０は、修理を手配する修理手配データを、記憶部１１に未対応のデータとして記憶する（ステップＳ１０５）。修理手配データは、異常又は異常の予兆が検知された対象の蓄電素子５０の識別データと、絞り込んだ原因及び特定した物品の識別情報とを含む。制御部１０は、修理手配データを、異常が検知されたシステムの修理作業を行なう保守作業者向けに送信し（ステップＳ１０６）、一旦処理を終了する。ステップＳ１０６の送信は、保守作業者の電子メールアドレス宛に電子メールで送信されるとよい。保守作業者が使用する保守端末装置２へ通知がメッセージとして送信されてもよい。
【００６３】
異常の通知及び修理手配データを受けた保守作業者は、タブレット端末装置に保守端末用プログラム２Ｐをインストールした保守端末装置２を用い、異常が検知された蓄電素子５０の設置場所へ赴く。保守作業者は、保守端末装置２を保守支援装置１と通信網Ｎを介して安全に通信接続させて、保守支援装置１とのデータの授受によって示される手順に応じて修理を進める。
【００６４】
図５は、保守支援システム１００における修理シーケンスを示す。図５は、修理手配後から修理現場における手順を示している。
【００６５】
保守作業者が保守端末装置２を用い、第１通信部２２を介して保守支援装置１と通信接続させる操作を行なうと、制御部２０は、保守支援装置１と通信網Ｎを介して通信接続する（ステップＳ２０１）。
【００６６】
制御部２０は、修理対象の蓄電素子５０を識別する製造番号等の識別データと対応付けて、修理支援画面を保守支援装置１へ要求する（ステップＳ２０２）。
【００６７】
保守支援装置１の制御部１０は、修理支援画面の要求を受けると（ステップＳ１１１）、要求に応じて、識別データを含む修理手配データを記憶部１１から読み出す（ステップＳ１１２）。制御部１０は、修理手配データに対応する修理フローを記憶部１１から読み出す（ステップＳ１１３）。制御部１０は、修理フローに基づいて次に実行すべき修理手順を特定する（ステップＳ１１４）。制御部１０は、特定した修理手順を含む修理支援画面を保守端末装置２へ送信する（ステップＳ１１５）。修理支援画面は、絞り込まれた原因に対応する修理フローに基づく修理手順を示すメッセージ又は画像を含む。修理フローは、記憶部１１に記憶されている。修理支援画面には、修理手順を示すメッセージ又は画像に対し、その手順を実施したか否か、手順の結果はどうであったかを入力するインタフェースが含まれているとよい。
【００６８】
保守端末装置２では、保守支援装置１から送信された修理支援画面を第１通信部２２で受信する（ステップＳ２０３）。制御部２０は、修理支援画面を表示部２４に表示する（ステップＳ２０４）。
【００６９】
修理支援画面には、第２通信部２３によって保守端末装置２を保守用通信機器６と通信接続させるように促すメッセージが含まれているとよい。制御部２０は、保守用通信機器６と通信接続する（ステップＳ２０５）。ステップＳ２０５の処理は、保守用通信機器６から正常に遠隔監視システム３００へ状態データが送信されている場合には不要である。
【００７０】
制御部２０は、表示部２４に表示させている修理手順を示す修理支援画面にて保守作業者の操作部２５による操作を受け付ける（ステップＳ２０６）。制御部２０は、操作結果を保守支援装置１へ送信する（ステップＳ２０７）。ステップＳ２０６で受け付ける操作には、保守用通信機器６を介した状態データの測定、保守用通信機器６を介した蓄電素子５０の制御が含まれていてもよい。
【００７１】
保守支援装置１は、通信部１２によって修理支援画面上での操作結果を受信する（ステップＳ１１６）。制御部１０は、操作結果を受信する都度、蓄電素子５０の識別データに対応付けて修理ログとして記憶部１１に記憶する（ステップＳ１１７）。
【００７２】
制御部１０は、受信した操作結果によって修理作業が完了したか否かを判断する（ステップＳ１１８）。完了していないと判断された場合（Ｓ１１８：ＮＯ）、制御部１０は、処理をステップＳ１１４へ戻し、次の手順を特定する。
【００７３】
ステップＳ１１７で完了したと判断された場合（Ｓ１１８：ＹＥＳ）、制御部１０は、次回修理作業が必要か否かを判断する（ステップＳ１１９）。ステップＳ１１９で必要であると判断された場合（Ｓ１１９：ＹＥＳ）、制御部１０は、交換用部材等の物品の発注準備を、顧客データ管理システム４００と連携して実行する（ステップＳ１２０）。制御部１０は、いったん修理処理を終了する。制御部１０は、次回修理作業及び発注準備を知らせるメッセージを含む終了画面を保守端末装置２へ送信し（ステップＳ１２１）、処理を終了する。
【００７４】
ステップＳ１１９で不要と判断された場合（Ｓ１１９：ＮＯ）、制御部１０は、修理は完了したとして、修理手配データを記憶部１１から削除する（ステップＳ１２２）。制御部１０は、次回修理作業及び発注準備を知らせるメッセージを含む終了画面を保守端末装置２へ送信し（Ｓ１２１）、処理を終了する。
【００７５】
ステップＳ１１９で必要と判断された場合、手配された交換用部材等と共に再度現地に赴いた保守作業者の操作によって、図５のシーケンスが開始される。
【００７６】
保守端末装置２は、終了画面を受信し（ステップＳ２０８）、保守支援装置１との通信接続を切断し（ステップＳ２０９）、処理を終了する。
【００７７】
図６及び図７は、保守端末装置２にて表示される修理支援画面２４０の内容例を示す。図６に示すように修理支援画面２４０は、修理手順を示すメッセージを含む。図６の修理支援画面２４０には、保守用通信機器６におけるエラーが表示されているか否かの確認を促すメッセージが表示されている。修理支援画面２４０には、表示されているか否かの選択を受け付けるインタフェース２４１が表示されている。保守作業者がいずれかのインタフェース２４１を操作部２５によって選択すると、操作結果が保守支援装置１へ送信される（Ｓ２０７）。保守支援装置１は、操作結果に応じて原因を更に絞り込み、次の修理手順を特定する（Ｓ１１４）。
【００７８】
図７は、次の修理手順を含む修理支援画面２４０の一例を示す。図６の修理支援画面２４０は、図６に示した修理支援画面２４０にてインタフェース２４１が選択された場合に表示される。図７の修理支援画面２４０は、図６の修理支援画面２４０にて、エラー表示なしのインタフェース２４１が選択された場合の手順を示す。図７の修理支援画面２４０は、保守用通信機器６を介して蓄電素子５０の測定データを取得し、その結果を入力する欄を含む。
【００７９】
図８は、修理フローの内容例を示す図である。記憶部１１は、図８に示すように、絞り込まれた原因毎に、修理フローを記憶する。図８は、「直流地絡」「温度上昇」「電圧異常」「抵抗異常」夫々の原因に応じて記憶されている修理フローの内容例を示す。図５に示した処理手順において、保守支援装置１の制御部１０は、原因が例えば「直流地絡」であると絞り込まれている場合、図８の「直流地絡」の原因の識別情報に対応付けられている修理フローを読み出す（Ｓ１１３）。
【００８０】
「直流地絡」の場合、制御部１０は、以下に示すような修理支援画面２４０を出力する。図９及び図１０は、修理支援画面２４０の他の内容例を示す。修理支援画面２４０は、「目視で外観を観察してください」という確認を促すメッセージと共に、「液漏れはありますか？／はい／いいえ」と選択を受け付けるインタフェース２４１を含む。「はい」が選択された場合、修理支援画面２４０には、「液漏れしている蓄電素子を交換してください」という指示メッセージが出力される。「いいえ」が選択された場合、図９の修理支援画面２４０は、図１０に示す修理支援画面２４０に遷移する。図１０の修理支援画面２４０には、「白色結晶はありますか？／はい／いいえ」と選択を受け付けるインタフェース２４１が表示される。制御部１０は、修理作業が完了したと判断されるまで、修理フローの手順を読み出して出力する処理を繰り返す。制御部１０は、修理フローで夫々の選択肢に応じた「交換」「経過観察」又は「継続使用」といった指示にたどり着いた場合、修理作業が完了したと判断する。
【００８１】
このように、保守端末装置２は、絞り込まれた原因に応じて予め最善として記憶されている修理フローに基づく修理手順を、保守支援装置１の処理に基づいて表示する。これにより、熟練者であるか否かによらない修理作業が実施される。迅速に修理作業が進行し、必要な工具等も自動的に手配されるので、修理の効率化も期待される。
【００８２】
（変形例１）
上述した実施形態の保守支援装置１に記憶されている修理フローでは、制御部１０は、異常又は異常の予兆の原因の特定に至らない場合も考えられる。このため、変形例１の保守支援システム１００は、熟練者の支援が可能な構成とすることによって、稀なケースなどのために、蓄電素子５０についての熟練者の知見を広く活かすことができる。例えば、図５のシーケンスで示した処理手順の内、ステップＳ１１４で修理手順が特定できない場合が想定される。この場合、保守支援装置１の制御部１０は、処理をステップＳ１２０へ進め、熟練者のスケジュール確保を含めて次回の修理作業の手配を実行する。手配は、保守支援装置１の制御部１０による、熟練者のランクが付与されている保守作業者への電子メール又はメッセージの通知を含む。手配は、制御部１０が保守作業者の管理者への通知を含む。この場合、管理者が、熟練者及び非熟練者の保守作業者を現地等へ割り振る。
【００８３】
図１１は、変形例１における保守支援システム１００による修理シーケンスを示す。図１１に示す処理手順は、熟練者が遠隔にてサポートできる日時に実施される修理作業の手順を示す。図１１に示す手順の内、図５に示した処理手順と共通する手順については、同一のステップ番号を付して詳細な説明を省略する。
【００８４】
保守支援装置１は、修理支援画面の要求を受信する（Ｓ１１１）。制御部１０は、修理手配データを読み出すと（Ｓ１１２）、熟練者が用いる保守端末装置２とも通信接続する（ステップＳ１２１）。制御部１０は、修理対象の蓄電素子５０の識別データを含む修理手配データ及び既に実施した修理ログを熟練者の保守端末装置２へ送信する（ステップＳ１２２）。
【００８５】
保守支援装置１の制御部１０は、修理作業を実際に行なう保守作業者の保守端末装置２と、熟練者の保守端末装置２との間で相互にビデオ通話又はチャット等に必要な通信データを双方へ送信する（ステップＳ１２３）。ビデオ通話又はチャットは、保守支援システム１００内、即ち保守端末用プログラム２Ｐに含まれる機能で実現されてもよい。ビデオ通話又はチャットは、保守支援システム１００外のサービスで実現されてもよい。
【００８６】
熟練者の保守端末装置２は、修理手配データ及び修理ログを受信する（ステップＳ２２１）。保守端末装置２の制御部２０は、修理手配データに含まれる蓄電素子５０の識別データに基づいて遠隔監視システム３００から状態データの履歴を取得する（ステップＳ２２２）。
【００８７】
熟練者の保守端末装置２と、修理作業をする保守作業者の保守端末装置２とは夫々、保守支援装置１から送信された通信データを受信する（ステップＳ２１３、Ｓ２２３）。これらの保守端末装置２は相互に通信接続する（ステップＳ２１４、Ｓ２２４）。
【００８８】
熟練者の保守端末装置２の制御部２０は、ステップＳ２２２で取得した状態データ及びステップＳ２２１で受信した修理手配データ及び修理ログを表示部２４に表示する（ステップＳ２２５）。制御部２０は、操作する熟練者と、保守作業者との間のやり取りに応じて指示操作を受け付け、送信する（ステップＳ２２６）。終了操作がされると、制御部２０は通信接続を切断し（ステップＳ２２７）、処理を終了する。
【００８９】
保守作業者の保守端末装置２の制御部２０は、指示を受信すると表示部２４等により出力し（ステップＳ２１５）、修理作業のログを記憶する（ステップＳ２１６）。熟練者とのやり取りの上で修理作業が終了し、保守作業者による終了操作がされる。制御部２０は、修理ログを保守支援装置１へ送信した後、保守支援装置１及び熟練者の保守端末装置２との通信接続を切断し（ステップＳ２１７）、処理を終了する。
【００９０】
保守支援装置１は、保守端末装置２間でのやり取りによって修理作業が完了したか否かを判断する（ステップＳ１２４）。完了していないと判断された場合（Ｓ１２４：ＮＯ）、保守支援装置１は、処理をステップＳ１２４へ戻して待機する。保守支援装置１はステップＳ１２４において、修理作業をする保守作業者の保守端末装置２からの通知によって修理作業の完了を判断する。保守支援装置１は、他の方法によって修理作業の完了を判断してもよい。
【００９１】
ステップＳ１２４で完了したと判断された場合（Ｓ１２４：ＹＥＳ）、保守支援装置１は、修理作業をする保守作業者の保守端末装置２から修理ログを受信し（ステップＳ１２５）、処理を終了する。
【００９２】
このように、熟練者の遠隔からのサポートも円滑に行なわれることで、保守作業者が熟練者であるか否かによらない均質な修理作業が実施される。
【００９３】
（変形例２）
上述した実施形態では、保守支援装置１は、検知した異常又は異常の予兆を、図４のフローチャートのステップＳ１０３で説明したように、状態データに含まれる測定値が正常とされる範囲の上限よりも高いか、下限よりも低いかの判別に基づいて絞り込んだ。この絞り込みは、深層学習を含む機械学習によって実現されてもよい。
【００９４】
上述した実施形態では、保守支援装置１は、記憶部１１に記憶した修理フローに基づいて次に実行すべき修理手順を特定した。保守支援装置１は、熟練者による修理手順を学習した修理手順モデルを作成し、この修理手順モデルに基づいて次の修理手順を特定し、保守端末装置２へ送信してもよい。
【００９５】
図１２は、変形例２における保守支援装置１の構成を示すブロック図である。変形例２の保守支援装置１は、修理フローに代替して、学習モデル１１Ｍ及び修理手順モデル１２Ｍを記憶部１１に記憶する。
【００９６】
学習モデル１１Ｍは、異常又は異常の予兆が検知された蓄電素子５０の原因特定に用いられる。学習モデル１１Ｍは例えば、ニューラルネットワークを用い、異常が検知された状態データを入力した場合に、原因の識別情報を確度と共に出力するように学習される。学習モデル１１Ｍは、原因が特定済みの状態データを用いて学習されるとよい。
【００９７】
修理手順モデル１２Ｍは、ＬＳＴＭ（Long Short-Term Memory）モデル、ＲＮＮ（Recurrent Neural Network）モデルに基づき作成される。修理手順モデル１２Ｍは、特定された原因を第１に入力した後、対処した手順を入力する都度に、次に実施すべき修理手順を対話形式で出力するように学習されるとよい。修理手順モデル１２Ｍは、原因が特定されて修理が完了した修理ログ、特に熟練者による修理ログを用いて学習されるとよい。
【００９８】
このように、保守支援装置１は、深層学習を適用した学習モデル１１Ｍを用いることによって、過去の修理の実績を活かして精度よく原因を推定できる。また、保守支援装置１が修理手順モデル１２Ｍを用いて修理手順を提示することによって、作業者が熟練者であるか否かによらない均質な修理作業が実施される。
【００９９】
上述のように開示された実施の形態は全ての点で例示であって、制限的なものではない。本発明の範囲は、特許請求の範囲によって示され、特許請求の範囲と均等の意味及び範囲内での全ての変更が含まれる。
【符号の説明】
【０１００】
１００  保守支援システム
１  保守支援装置
１０  制御部
１１  記憶部
１Ｐ  保守支援プログラム
２  保守端末装置
２０  制御部
２１  記憶部
２Ｐ  保守端末用プログラム
３００  遠隔監視システム
４００  顧客データ管理システム
６  保守用通信機器
【図１】
0006908070.tif 000002
【図２】
0006908070.tif 000003
【図３】
0006908070.tif 000004
【図４】
0006908070.tif 000005
【図５】
0006908070.tif 000006
【図６】
0006908070.tif 000007
【図７】
0006908070.tif 000008
【図８】
0006908070.tif 000009
【図９】
0006908070.tif 000010
【図１０】
0006908070.tif 000011
【図１１】
0006908070.tif 000012
【図１２】
0006908070.tif 000013